(57)【要約】【課題】効率的な情報の再生が可能な、超解像再生技術を用いた多層の光情報記録媒体を提供する。【解決手段】光情報記録媒体１の各情報記録層には、コンテンツが記録されたデータ領域と、媒体情報と全情報記録層の推奨再生光パワー情報とが記録されたディスク情報領域と、基準再生光パワーを決定するためのテストリード領域とが設けられており、各情報記録層のテストリード領域は、略同一半径位置に割り当てられている。【選択図】図１
2013122805.tif 000002
【特許請求の範囲】
【請求項１】
開口数Ｎ.Ａ.の対物レンズを介して、波長λの再生光を照射することによりコンテンツを再生する再生装置に適応し、
再生光の入射側から順に、当該再生光の入射面を有する透光層と、２層以上の情報記録層と、基板とが配され、
さらに、上記情報記録層を互いに分離する中間層が設けられている円盤状の光情報記録媒体であって、
上記透光層より最も遠い位置に設けられた情報記録層のトラックパス方向が内周から外周に向かう方向となっており、
且つ各情報記録層のトラックパスは、隣接する情報記録層のトラックパス方向に対してオポジットトラックパスであり、
各情報記録層には、
再生装置の走査方向において、λ/（４Ｎ.Ａ.）以下の長さのプリピットを含むプリピット群にてコンテンツが記録された第１領域と、
再生装置の走査方向において、λ/（４Ｎ.Ａ.）より長いプリピットのみからなるプリピット群にて媒体の種類を特定するための媒体情報と全情報記録層の推奨再生光パワー情報とが記録された第２領域と、
上記コンテンツを再生するときの再生光パワーの基準となる基準再生光パワーを決定するための第３領域とが設けられており、
上記各情報記録層の第３領域は、各情報記録層における第１領域より内周側であって、略同一半径位置に割り当てられていることを特徴とする光情報記録媒体。
【請求項２】
複数の上記情報記録層のうち、透光層に最も近い位置に設けられた情報記録層において、
上記第２領域が上記第３領域よりも先に再生されるように、当該第２領域および上記第３領域が配置されていることを特徴とする請求項１に記載の光情報記録媒体。
【請求項３】
請求項１または２に記載の光情報記録媒体における各情報記録層の基準再生光パワーを決定する基準再生光パワー決定方法であって、
各情報記録層の上記第１領域に記録されたコンテンツを再生する前に、
上記再生光の入射面から最も遠い情報記録層の第２領域を再生することで全情報記録層の推奨再生光パワー情報を取得するとともに、
各情報記録層の第３領域において、当該情報記録層に対応する上記推奨再生光パワー情報を用いてテストリードを行うことで、上記基準再生光パワーを情報記録層ごとに決定することを特徴とする基準再生光パワー決定方法。
【請求項４】
請求項２に記載の光情報記録媒体における各情報記録層の基準再生光パワーを決定する基準再生光パワー決定方法であって、
各情報記録層の上記第１領域に記録されたコンテンツを再生する前に、
上記再生光の入射面に最も近い情報記録層の第２領域を再生することで全情報記録層の推奨再生光パワー情報を取得するとともに、
各情報記録層の第３領域において、当該情報記録層に対応する上記推奨再生光パワー情報を用いてテストリードを行うことで、上記基準再生光パワーを情報記録層ごとに決定することを特徴とする基準再生光パワー決定方法。
【請求項５】
請求項１または２に記載の光情報記録媒体を再生する光情報記録媒体再生装置であって、
各情報記録層の上記第１領域に記録されたコンテンツを再生する前に、上記再生光の入射面から最も遠い情報記録層の第２領域を再生することで全情報記録層の推奨再生光パワー情報を取得する推奨再生光パワー情報取得部と、
上記コンテンツを再生する前に、各情報記録層の第３領域において、当該情報記録層に対応する上記推奨再生光パワー情報を用いてテストリードを行うことで、上記基準再生光パワーを情報記録層ごとに決定する基準再生光パワー決定部とを備えることを特徴とする光情報記録媒体再生装置。
【請求項６】
請求項２に記載の光情報記録媒体を再生する光情報記録媒体再生装置であって、
各情報記録層の上記第１領域に記録されたコンテンツを再生する前に、上記再生光の入射面に最も近い情報記録層の第２領域を再生することで全情報記録層の推奨再生光パワー情報を取得する推奨再生光パワー情報取得部と、
上記コンテンツを再生する前に、各情報記録層の第３領域において、当該情報記録層に対応する上記推奨再生光パワー情報を用いてテストリードを行うことで、上記基準再生光パワーを情報記録層ごとに決定する基準再生光パワー決定部とを備えることを特徴とする光情報記録媒体再生装置。
【請求項７】
請求項１または２に記載の光情報記録媒体を再生する再生方法であって、
上記情報記録層のうちの１つである第１の情報記録層に記録された情報を再生するための基準再生光パワーの補正に用いる補正情報を算出する補正情報算出工程と、
上記第１の情報記録層とは異なる第２の情報記録層の情報記録層の基準再生光パワーを決定する決定工程と、
上記補正情報算出工程において算出した補正情報を用いて、上記決定工程において決定した基準再生光パワーを補正する補正工程とを含むことを特徴とする光情報記録媒体再生方法。
【請求項８】
請求項１または２に記載の光情報記録媒体を再生する再生装置であって、
上記情報記録層のうちの１つである第１の情報記録層に記録された情報を再生するための基準再生光パワーの補正に用いる補正情報を算出する補正情報算出部と、
上記第１の情報記録層とは異なる第２の情報記録層の基準再生光パワーを決定する基準再生光パワー決定部と、
上記補正情報算出部が算出した補正情報を用いて、上記基準再生光パワー決定部が決定した基準再生光パワーを補正する補正部とを備えることを特徴とする再生装置。
【発明の詳細な説明】
【技術分野】
【０００１】
本発明は、情報を光学的に記録または再生する光情報記録媒体、基準再生光パワー決定方法、光情報記録媒体再生方法および光情報記録媒体再生装置に関する。
【背景技術】
【０００２】
近年、光情報記録媒体においては、画像等の膨大な情報の処理のために、ますます情報記録容量を増加させることが求められている。その解決法として、再生時における情報処理向上技術の一つである超解像技術を用いる方法と、情報記録層を多層化し、それぞれの情報記録層に対して記録／再生が可能である多層光情報記録媒体を用いる方法とがある。
【０００３】
超解像技術とは、再生装置が有する光学的解像限界以下のマーク長(レーザ波長および光学系の開口数によって決まる)の信号を再生する技術である。これによって、より小さなマーク長を使用した記録が可能となるので、実質的な記録密度が増加する。これは、高密度化する際に問題となるのが再生技術であり、記録技術ではないことに起因する。
【０００４】
これらの技術について、まず、超解像技術より説明する。
【０００５】
従来、再生装置の有する光学系解像限界より短いマーク長の信号を再生するための多くの光情報記録媒体（以下、超解像媒体と称する）が提案されてきた。
【０００６】
このような技術として、例えば、基板の凹凸により書き換え不可な情報が記録されている再生専用媒体の再生には利用できないが、書き換え可能な光磁気記録媒体に対応し、光記録媒体駆動装置により光磁気記録媒体の磁性材料からなる記録膜に磁化方向によって記録された情報を再生する際に用いることが知られている（特許文献１参照）。
【０００７】
より具体的には、光磁気記録媒体の、記録層の上に再生層を設けている。そして、再生時には、レーザスポット内の高温部分にのみ、記録層の磁界が再生層に転写されるため、結果的に光学系解像限界より短いマーク長の信号を再生することができる。
【０００８】
また、書き換え可能な光記録媒体のみならず、再生専用媒体も適応可能である温度によって光学特性（透過率）が変化するサーモクロミック色素層をマスク層として、反射膜の再生光入射面上に設ける技術も知られている（特許文献２参照）。
【０００９】
なお、マスク層とは、後述するレーザスポットを擬似的に限縮したりするなどの超解像現象を引き起こす層のことである。
【００１０】
これらの光情報記録媒体では、その再生面に照射された再生レーザによって生じるレーザスポットには光強度分布があり、そのために温度分布が生じている事を利用している。
【００１１】
特許文献２に開示されているような光記録媒体では、反射層より再生光入射面に近い再生層上の再生レーザスポット内に、温度又は光強度分布が生じ、それにより前記レーザスポット内に光学特性の分布が生じる。
【００１２】
例えば、温度が高くなる場合に透過率が高くなる材料を再生層に用いている場合、温度が高い部分の透過率のみが高くなるので、反射層面上に生じるレーザスポットが擬似的に縮小される。これにより、結果的に光学系解像限界より短いマーク長の信号を再生することができる。
【００１３】
しかしながら、超解像再生技術においては、レーザスポットを擬似的に縮小するため、再生光の利用効率が下がる(反射光が当然少なくなる)。このため、レーザスポットの縮小に限界が生じることになり、記録密度の向上は線密度で２倍程度が限界であった。
【００１４】
なお、上述した超解像媒体は再生レーザスポット内に、温度又は光強度分布が生じる事を利用して光学系解像限界より短いマーク長の信号を再生する技術であるため、再生光のパワーは一般的な超解像技術を用いない光情報記録媒体に比べて高いものとなる。
【００１５】
また、あまりにも高い再生光パワーは、再生特性の悪化等が生じるため、超解像媒体に応じた適切な再生光パワーが存在する。
【００１６】
さらに、再生性装置の再生光パワーは、同じ値を示していても実際には機器によって、微妙に異なり、同じ値を示す再生光パワーでも再生特性が異なることがあった。
【００１７】
したがって、超解像媒体においては、例えば特許文献５に記載されているようなテストリードを行って、再生光パワーを決定することが望ましい。
【００１８】
次に、多層光情報記録媒体について説明する。
【００１９】
多層光情報記録媒体は、例えば、特許文献３に開示されているように、再生光入射面より、第１情報記録層、第２情報記録層という順に情報記録層を設け、主に樹脂からなる中間層により各情報層を分離した構造となっている。
【００２０】
このような構造では、再生光入射面より最も遠い情報記録層以外は、再生光が透過するような半透明層になっているので、再生光入射面から入射した再生光が、各情報記録層にフォーカスできる。したがって、この多層光情報記録媒体は、情報記録層の総数が増えるにしたがって、情報記録密度を増加させることができる光情報記録媒体と言える。
【００２１】
なお、この技術に用いられている最も一般的な光情報記録媒体は、片面再生の２層ＤＶＤ−ＲＯＭである。
【００２２】
ただし、多層光情報記録媒体においては、層数が多くなると、その生産が困難であるため、非常に高価な媒体となるという問題があった。以下に、生産が困難な理由を、多層光情報記録媒体の生産方法の一例を基に説明する。
【００２３】
多層光情報記録媒体の生産においては、例えば現時点で最も一般的なＤＶＤの場合には、２層までであれば、まず、真空中で基板上に記録膜や反射膜等の第１情報記録層を成膜し、その後、大気中に戻した後、同様にして作成した第２情報記録層を成膜した基板を貼り合せるだけでよい。
【００２４】
しかし、３層以上に層を増加させる場合、例えば３層にする場合は、真空中で成膜された上記第１情報記録層上に、大気中にて、中間層となる紫外線硬化樹脂等をスピンコートする。次に、大気中にて、プラスチックスタンパを貼り合わせた後、紫外線を照射して硬化させ、スタンパを剥離することにより、中間層の表面に、トッラキング用の溝や、その配列により情報を記録されているプリピット等の凹凸を転写（２Ｐ法と呼ばれる）する。
【００２５】
その上で、再び、真空中にて、プリピット等の凹凸を転写した上記中間層上に第２情報記録層を成膜し、さらに、大気中にて、第１情報記録層が設けられた基板と同様に作成した第３情報記録層が成膜された基板を貼り合せる必要がある。
【００２６】
このように、媒体が真空中と大気中とを何度も繰り返し行き来するといった非常に複雑な工程で生産される。
【００２７】
また、各層は、各反射率を調整するため、異なる膜構造となっているので、通常の大量生産時には、媒体が生産ラインを一方向に進みながら各層が形成されるため、情報記録層の層数だけ真空成膜装置が必要となる。しかも、真空成膜装置は非常に高価であり、ランニングコストも光情報記録媒体生産に使用する装置の中では高価である。したがい、３層以上に情報記録層を増加させることは、コスト的な点で実質的に困難であった。
【００２８】
このように、光情報記録媒体の高密度化の手法は主に上記２手法が提案されてきたが、上述したように、それぞれに問題があった。そのため、現在では、これらの利点を併せ持ち光情報記録媒体の情報記録密度を最も有効に増加できる技術として多層超解像技術が提案されるようになってきた（特許文献４参照）。
【先行技術文献】
【特許文献】
【００２９】
【特許文献１】特開平８−１８０４８６号公報（１９９６年７月１２日公開）
【特許文献２】特開２００１−０３５０１２号公報（２００１年２月９日公開）
【特許文献３】特開２０００−２３５７３３号公報（２０００年８月２９日公開）
【特許文献４】特開２００６−２６９０４０号公報（２００６年１０月５日公開）
【特許文献５】特開２０１０−２６７３０３号公報（２０１０年１１月２５日公開）
【発明の概要】
【発明が解決しようとする課題】
【００３０】
しかしながら、特許文献４に記載されているような多層超解像媒体において、特許文献５に記載のテストリードのような再生光パワーの最適化を行う場合には、単層光情報記録媒体時には発生しない以下のような問題があった。
【００３１】
例えば、２層超解像媒体では、再生光入射面より近い情報記録層（第２情報記録層）を透過した再生光を用いて、再生光入射面より遠い情報記録層（第１情報記録層）が超解像再生されるため、一般的に第１情報記録層の再生光パワーのほうが第１情報記録層よりも高くなる。つまり、多層超解像媒体では、各情報記録層の最適再生光パワーが異なる可能性が高い。
【００３２】
よって、各層ごとに再生光パワーの最適化が必要ということになる。
【００３３】
一方、現在主流である２層再生専用光情報記録媒体である２層ＤＶＤ−ＲＯＭや２層ＢＤ−ＲＯＭでは、第１情報記録層と第２情報記録層は、連続して再生できるよう各情報記録層のトラックパス方向はオポジットとなっている。
【００３４】
さらに、再生専用の媒体においては、記録容量の限界まで記録されることは稀であり、余裕のあることが多い。
【００３５】
上記のように情報記録層に余裕がある場合は、第１情報記録層においてコンテンツが記録される最外径位置と、第２情報記録層においてコンテンツが記録される最外径位置を略一致させることにより、ピックアップのディスク半径方向への移動を極力少なくし、効率的に第１情報記録層と第２情報記録層は、連続して再生できるようになっている。
【００３６】
ところで、上記のような形態の再生専用２層超解像媒体を再生する場合には、以下の問題がある。
【００３７】
例えば、再生段階初期に、光情報記録媒体メーカーが推奨する推奨再生光パワーを用いて、効率的に第１情報記録層の再生光レーザパワーの最適化を行い、第１情報記録層の再生が終了したとしても、第２情報記録層の再生光レーザパワーが最適化されていないため、速やかに第２情報記録層の再生に移行できない。
【００３８】
従って、再生段階初期に、第２情報記録層の最適化を行う必要があるが、通常光ディスクは各層毎に各層の情報が記録されているため、各層毎に各層の推奨再生レーザパワーを再生する必要があるなど、効率的に各情報記録層のコンテンツを再生することができなかった。
【００３９】
本発明は、上記課題に鑑みてなされたものであって、効率的な情報の再生が可能な、超解像再生技術を用いた多層の光情報記録媒体、およびその再生方法、再生装置、基準再生光パワー決定方法を提供することを目的としている。
【課題を解決するための手段】
【００４０】
本発明の一実施形態に係る光情報記録媒体は、上記の課題を解決するために、
開口数Ｎ.Ａ.の対物レンズを介して、波長λの再生光を照射することによりコンテンツを再生する再生装置に適応し、
再生光の入射側から順に、当該再生光の入射面を有する透光層と、２層以上の情報記録層と、基板とが配され、
さらに、上記情報記録層を互いに分離する中間層が設けられている円盤状の光情報記録媒体であって、
上記透光層より最も遠い位置に設けられた情報記録層のトラックパス方向が内周から外周に向かう方向となっており、
且つ各情報記録層のトラックパスは、隣接する情報記録層のトラックパス方向に対してオポジットトラックパスであり、
各情報記録層には、
再生装置の走査方向において、λ/（４Ｎ.Ａ.）以下の長さのプリピットを含むプリピット群にてコンテンツが記録された第１領域と、
再生装置の走査方向において、λ/（４Ｎ.Ａ.）より長いプリピットのみからなるプリピット群にて媒体の種類を特定するための媒体情報と全情報記録層の推奨再生光パワー情報とが記録された第２領域と、
上記コンテンツを再生するときの再生光パワーの基準となる基準再生光パワーを決定するための第３領域とが設けられており、
上記各情報記録層の第３領域は、各情報記録層における第１領域より内周側であって、略同一半径位置に割り当てられていることを特徴としている。
【００４１】
ここで、上記プリピット群とは、複数のプリピットからなるものである。上記プリピットとは、基板や中間層に設けられた凹凸形状を意味する。
【００４２】
また、「再生装置の走査方向において、λ/（４Ｎ.Ａ.）以下の長さのプリピットが含まれる」場合とは、例えば、所定の変調方式で情報が記録される場合に、最小マークと、最小スペースとの平均長さが、λ/（４Ｎ.Ａ.）以下となる場合である。
【００４３】
通常情報が記録されるプリピット群は、所定の変調方式にしたがって、情報が記録される。その場合、最小マークと、最小スペースとの平均長さは、上記所定の変調方式と、情報記録層に記録されている情報の密度とから算出することができる長さのことである。構造的には、例えば１−７ＲＬＬ変調方式の場合、上記平均長さは、最小マークである２Ｔマーク長と、最小スペースである２Ｔスペース長の平均長さであり、具体的にはＢＤでは、２５ＧＢで１４９ｎｍである。
【００４４】
上記構成によれば、各情報記録層の第１領域に、再生装置の走査方向において、λ/（４Ｎ.Ａ.）以下の長さのプリピットを含むプリピット群にてコンテンツが記録されている。それゆえ、実質的な記録密度が高い、超解像再生技術を用いた多層の光情報記録媒体を実現できる。
【００４５】
また、各情報記録層の第２領域に、媒体の種類を特定するための媒体情報と全情報記録層の推奨再生光パワー情報とが記録されている。それゆえ、いずれかの情報記録層の第２領域を再生することで、媒体情報および全情報記録層の推奨再生光パワー情報を取得することができる。
【００４６】
また、媒体情報および推奨再生光パワー情報は、再生装置の走査方向において、λ/（４Ｎ.Ａ.）より長いプリピットのみからなるプリピット群にて記録されている。それゆえ、推奨再生光パワー情報を、超解像再生を行わずとも再生できるため、機器間毎の差異をほとんど考慮せずとも、超解像再生を行わない通常光情報記録媒体を再生する所定のパワーで容易に再生できる。
【００４７】
また、透光層より最も遠い位置に設けられた情報記録層のトラックパス方向が内周から外周に向かう方向となっている。また、各情報記録層のトラックパスは、隣接する情報記録層のトラックパス方向に対してオポジットトラックパスとなっている。さらに、各情報記録層の上記推奨再生光パワー情報を利用してコンテンツを再生するための基準となる基準再生光パワーを決定するための第３領域が、各情報記録層における第１領域より内周側であって、略同一半径位置に割り当てられている。
【００４８】
それゆえ、ある情報記録層の第３領域を用いて当該情報記録層の基準再生光パワーを決定した後に、ピックアップの位置（光情報記録媒体の中心からの位置（半径位置））を移動することなしに、他の情報記録層の第３領域へジャンプすることができる。その後、上記他の情報記録層の基準再生光パワーを決定した後に、各情報記録層の第１領域に記録されたコンテンツの再生を行うことが可能になる。
【００４９】
したがって、ピックアップの移動経路の短い、効率の良い再生方法を実現することができる。
【００５０】
また、隣接する情報記録層のトラックパス方向がオポジットであるため、第３領域の範囲を最低限に抑制することができる。なぜなら、ピックアップの移動経路の短い再生を行うことを前提とすると、隣接する情報記録層のトラックパス方向がパラレルの場合には、オポジットである場合よりも、第３領域の位置を外周側に設けざる得なくなる場合がある。この場合に、第３領域の範囲が広がる可能性があるからである。
【００５１】
なお、基準再生光パワーとは、テストリードを行った所定の再生装置における基準的な再生光パワーである。この基準再生光パワーは、実際に再生されるときの再生光パワーと同じ場合もあるが、異なる場合もある。再生光パワーマージンが少ない多層超解像光情報記録媒体では、テストリード後の再生装置の周囲温度変化等によって、再生光パワーを更に最適化することがある。
【００５２】
また、複数の上記情報記録層のうち、透光層に最も近い位置に設けられた情報記録層において、上記第２領域が上記第３領域よりも先に再生されるように、当該第２領域および上記第３領域が配置されていることが好ましい。
【００５３】
上記の構成によれば、当該光情報記録媒体を再生装置によって、複数の情報記録層のうち、透光層に最も近い位置に設けられた情報記録層から再生する場合に、媒体情報および推奨再生光パワー情報が記録された第２領域が再生された後、走査方向を変えることなく、基準再生光パワーを決定するための第３領域が再生される。
【００５４】
そのため、第２領域において媒体情報および全情報記録層の推奨再生光パワー情報を得た後、トラックパス方向に沿わない方向へピックアップを移動させることなく、第３領域へ再生光スポット位置を効率的に移動できる。
【００５５】
それゆえ、ピックアップの移動経路の短い、効率の良い再生方法を実現することができる。
【００５６】
さらに、再生光入射面に最も近い情報記録層から、再生光入射面から最も遠い情報記録層まで、レイヤージャンプを行って、テストリードを順に行っていき、その後各情報記録層のコンテンツを再生すると、再生光スポットをトラックパス方向に沿って一定方向に移動させることが可能になる。そのため、情報記録媒体の半径方向および厚さ方向への移動における損失が低減され、効率的にコンテンツの再生が可能になる。
【００５７】
本発明の一実施形態に係る基準再生光パワー決定方法は、上記光情報記録媒体における各情報記録層の基準再生光パワーを決定する基準再生光パワー決定方法であって、
各情報記録層の上記第１領域に記録されたコンテンツを再生する前に、
上記再生光の入射面から最も遠い情報記録層の第２領域を再生することで全情報記録層の推奨再生光パワー情報を取得するとともに、
各情報記録層の第３領域において、当該情報記録層に対応する上記推奨再生光パワー情報を用いてテストリードを行うことで、上記基準再生光パワーを情報記録層ごとに決定することを特徴としている。
【００５８】
上記の構成によれば、第１領域に記録されたコンテンツを再生する前に、再生光の入射面から最も遠い情報記録層の第２領域において全情報記録層の推奨再生光パワー情報が取得されるとともに、各情報記録層の第３領域を利用して全情報記録層の基準再生光パワー情報が決定される。
【００５９】
それゆえ、ある情報記録層（情報記録層Ａ）の第１領域に記録されたコンテンツを再生した後、別の情報記録層Ｂの第１領域に記録されたコンテンツを再生するために当該情報記録層Ｂへレイヤージャンプしたときに、情報記録層Ｂの基準再生光パワーを決定するために当該情報記録層Ｂの第３領域へ再生光スポットを移動させる必要がなくなる。
【００６０】
したがって、ピックアップの移動経路の短い、効率の良い再生方法を実現することができる。
【００６１】
本発明の一実施形態に係る基準再生光パワー決定方法は、上記光情報記録媒体における各情報記録層の基準再生光パワーを決定する基準再生光パワー決定方法であって、
各情報記録層の上記第１領域に記録されたコンテンツを再生する前に、上記再生光の入射面に最も近い情報記録層の第２領域を再生することで全情報記録層の推奨再生光パワー情報を取得し、
各情報記録層の第３領域において、当該情報記録層に対応する上記推奨再生光パワー情報を用いてテストリードを行うことで、上記基準再生光パワーを情報記録層ごとに決定することを特徴としている。
【００６２】
上記の構成によれば、第１領域に記録されたコンテンツを再生する前に、再生光の入射面に最も近い情報記録層の第２領域において全情報記録層の推奨再生光パワー情報が取得されるとともに、各情報記録層の第３領域を利用して全情報記録層の基準再生光パワー情報が決定される。
【００６３】
それゆえ、ある情報記録層（情報記録層Ａ）の第１領域に記録されたコンテンツを再生した後、別の情報記録層Ｂへレイヤージャンプし、その情報記録層Ｂの第１領域に記録されたコンテンツを再生するときに、情報記録層Ｂの基準再生光パワーを決定するために当該情報記録層Ｂの第３領域へ再生光スポットを移動させる必要がなくなる。
【００６４】
さらに、透光層に最も近い位置に設けられた情報記録層において、第２領域が第３領域よりも先に再生されるように、当該第２および第３領域が配置されている。この構成により、第２領域において推奨再生光パワー情報を得た後、トラックパス方向に沿わない方向へピックアップを移動させることなく、再生光スポットを第３領域へ効率的に移動させることができる。
【００６５】
したがって、ピックアップの移動経路の短い、効率の良い再生方法を実現することができる。
【００６６】
本発明の一実施形態に係る光情報記録媒体再生装置は、上記光情報記録媒体を再生する光情報記録媒体再生装置であって、
各情報記録層の上記第１領域に記録されたコンテンツを再生する前に、上記再生光の入射面から最も遠い情報記録層の第２領域を再生することで全情報記録層の推奨再生光パワー情報を取得する推奨再生光パワー情報取得部と、
上記コンテンツを再生する前に、各情報記録層の第３領域において、当該情報記録層に対応する上記推奨再生光パワー情報を用いてテストリードを行うことで、上記基準再生光パワーを情報記録層ごとに決定する基準再生光パワー決定部とを備えることを特徴としている。
【００６７】
上記の構成によれば、各情報記録層の第１領域に記録されたコンテンツを再生する前に、（i）推奨再生光パワー情報取得部は、再生光の入射面から最も遠い情報記録層の第２領域において全情報記録層の推奨再生光パワー情報を取得するとともに、（ii）基準再生光パワー決定部は、各情報記録層の第３領域を利用して全情報記録層の基準再生光パワー情報を決定する。
【００６８】
それゆえ、ある情報記録層（情報記録層Ａ）の第１領域に記録されたコンテンツを再生した後、別の情報記録層Ｂへレイヤージャンプし、その情報記録層Ｂの第１領域に記録されたコンテンツを再生するときに、情報記録層Ｂの基準再生光パワーを決定するために当該情報記録層Ｂの第３領域へ再生光スポットを移動させる必要がなくなる。
【００６９】
したがって、ピックアップの移動経路の短い、効率の良い再生方法を実現することができる。
【００７０】
本発明の一実施形態に係る光情報記録媒体再生装置は、上記光情報記録媒体を再生する光情報記録媒体再生装置であって、
各情報記録層の上記第１領域に記録されたコンテンツを再生する前に、上記再生光の入射面に最も近い情報記録層の第２領域を再生することで全情報記録層の推奨再生光パワー情報を取得する推奨再生光パワー情報取得部と、
上記コンテンツを再生する前に、各情報記録層の第３領域において、当該情報記録層に対応する上記推奨再生光パワー情報を用いてテストリードを行うことで、上記基準再生光パワーを情報記録層ごとに決定する基準再生光パワー決定部とを備えることを特徴としている。
【００７１】
上記の構成によれば、各情報記録層の第１領域に記録されたコンテンツを再生する前に、（i）推奨再生光パワー情報取得部は、全情報記録層の推奨再生光パワー情報を取得するとともに、（ii）基準再生光パワー決定部は、全情報記録層の基準再生光パワー情報を決定する。
【００７２】
それゆえ、ある情報記録層（情報記録層Ａ）の第１領域に記録されたコンテンツを再生した後、別の情報記録層Ｂへレイヤージャンプし、その情報記録層Ｂの第１領域に記録されたコンテンツを再生するときに、情報記録層Ｂの基準再生光パワーを決定するために当該情報記録層Ｂの第３領域へ再生光スポットを移動させる必要がなくなる。
【００７３】
さらに、透光層に最も近い位置に設けられた情報記録層において、第２領域が第３領域よりも先に再生されるように、当該第２および第３領域が配置されている。この構成により、第２領域において推奨再生光パワー情報を得た後、トラックパス方向に沿わない方向へピックアップを移動させることなく、再生光スポットを第３領域へ効率的に移動させることができる。
【００７４】
したがって、ピックアップの移動経路の短い、効率の良い再生方法を実現することができる。
【００７５】
本発明の一実施形態に係る再生方法は、上記光情報記録媒体を再生する再生方法であって、
上記情報記録層のうちの１つである第１の情報記録層に記録された情報を再生するための基準再生光パワーの補正に用いる補正情報を算出する補正情報算出工程と、
上記第１の情報記録層とは異なる第２の情報記録層の基準再生光パワーを決定する決定工程と、
上記補正情報算出工程において算出した補正情報を用いて、上記決定工程において決定した基準再生光パワーを補正する補正工程とを含むことを特徴としている。
【００７６】
上記の構成によれば、補正情報算出工程において、第１の情報記録層に記録された情報を再生するための基準再生光パワーの補正に用いる補正情報が算出される。この補正情報は、例えば、ピックアップの周囲の温度変化に応じて基準再生光パワーを調整するための補正値である。
【００７７】
決定工程において第２の情報記録層の基準再生光パワーが決定されるが、この基準再生光パワーを補正するときに、第１の情報記録層のための補正情報が利用される。再生光を出射するピックアップ自体は、変化しないため、第１の情報記録層のために算出した補正情報を第２の情報記録層の再生に利用することができる。
【００７８】
第１の情報記録層のために算出した補正情報を第２の情報記録層の再生に利用することにより、第２の情報記録層のための補正情報を別途算出する必要がなくなり、再生装置における処理量を低減することができる。
【００７９】
なお、第１の情報記録層と第２の情報記録層との位置関係は特に限定されず、どちらが再生光入射面に近い方に配置されてもよい。また、第２の情報記録層は、複数設けられてもよい。
【００８０】
本発明の一実施形態に係る再生装置は、上記光情報記録媒体を再生する再生装置であって、
上記情報記録層のうちの１つである第１情報記録層に記録された情報を再生するための基準再生光パワーの補正に用いる補正情報を算出する補正情報算出部と、
上記第１情報記録層とは異なる第２情報記録層の基準再生光パワーを決定する基準再生光パワー決定部と、
上記補正情報算出部が算出した補正情報を用いて、上記基準再生光パワー決定部が決定した基準再生光パワーを補正する補正部とを備えることを特徴としている。
【００８１】
補正情報算出部は、第１の情報記録層に記録された情報を再生するための基準再生光パワーの補正に用いる補正情報を算出する。この補正情報は、例えば、ピックアップの周囲の温度変化に応じて基準再生光パワーを調整するための補正値である。
【００８２】
基準再生光パワー決定部は、第２の情報記録層の基準再生光パワーを決定するが、この基準再生光パワーを補正部が補正するときに、第１の情報記録層のための補正情報が利用される。再生光を出射するピックアップ自体は、変化しないため、第１の情報記録層のために算出した補正情報を第２情報記録層の再生に利用することができる。
【００８３】
第１の情報記録層のために算出した補正情報を第２の情報記録層の再生に利用することにより、第２情報記録層のための補正情報を別途算出する必要がなくなり、再生装置における処理量を低減することができる。
【００８４】
なお、第１の情報記録層と第２の情報記録層との位置関係は特に限定されず、どちらが再生光入射面に近い方に配置されてもよい。また、第２の情報記録層は、複数設けられてもよい。
【発明の効果】
【００８５】
以上のように、本発明の一実施形態に係る光情報記録媒体は、開口数Ｎ.Ａ.の対物レンズを介して、波長λの再生光を照射することによりコンテンツを再生する再生装置に適応し、
再生光の入射側から順に、当該再生光の入射面を有する透光層と、２層以上の情報記録層と、基板とが配され、
さらに、上記情報記録層を互いに分離する中間層が設けられている円盤状の光情報記録媒体であって、
上記透光層より最も遠い位置に設けられた情報記録層のトラックパス方向が内周から外周に向かう方向となっており、
且つ各情報記録層のトラックパスは、隣接する情報記録層のトラックパス方向に対してオポジットトラックパスであり、
各情報記録層には、
再生装置の走査方向において、λ/（４Ｎ.Ａ.）以下の長さのプリピットを含むプリピット群にてコンテンツが記録された第１領域と、
再生装置の走査方向において、λ/（４Ｎ.Ａ.）より長いプリピットのみからなるプリピット群にて媒体の種類を特定するための媒体情報と全情報記録層の推奨再生光パワー情報とが記録された第２領域と、
上記コンテンツを再生するときの再生光パワーの基準となる基準再生光パワーを決定するための第３領域とが設けられており、
上記各情報記録層の第３領域は、各情報記録層における第１領域より内周側であって、略同一半径位置に割り当てられている構成である。
【００８６】
それゆえ、ピックアップの移動経路の短い、効率の良い再生方法を実現することができるという効果を奏する。
【図面の簡単な説明】
【００８７】
【図１】（ａ）は、本発明の一実施形態に係る光情報記録媒体の外観を示す概略図であり、（ｂ）は、（ａ）に示す情報記録媒体における断面構成を表す概略図である。
【図２】本発明の一実施形態に係る光情報記録媒体の層構造を示す断面図である。
【図３】上記光情報記録媒体の変更例の層構造を示す断面図である。
【図４】本発明の一実施形態に係る光情報記録媒体の中間層に設けられているプリピット群を示す斜視図である。
【図５】本発明の一実施形態に係る光情報記録媒体の基板に設けられているプリピット群を示す斜視図である。
【図６】本発明の一実施形態に係る光情報記録媒体再生装置の構成を表す概略図である。
【図７】上記光情報記録媒体再生装置における処理の流れの一例を示すフローチャートである。
【図８】本発明の別の実施形態に係る光情報記録媒体における断面構成を表す概略図である。
【図９】比較例としての情報記録媒体再生方法を示す概略図である。
【図１０】本発明のさらに別の実施形態に係る３層光情報記録媒体における断面構成を表す概略図である。
【発明を実施するための形態】
【００８８】
〔実施の形態１〕
本発明の実施の一形態について図１〜図７に基づいて説明すれば、以下のとおりである。
【００８９】
（光情報記録媒体１の概略構成）
本発明の一実施の形態に係る光情報記録媒体（多層超解像光情報記録媒体）１の構成について説明する。図１は、光情報記録媒体１の構成を表す概略図である。この光情報記録媒体１は、再生装置７０によって再生される。再生装置７０の詳細については後述する。
【００９０】
図１（ｂ）に示すように、光情報記録媒体１は、再生光の入射側から順に、透光層１０、第２情報記録層２０、中間層３０、第１情報記録層４０および基板５０を備えている。
【００９１】
透光層１０は、光情報記録媒体１を構成する各層のうち、再生光の光源（ピックアップ）に最も近い位置に配置される透光性を有する層であり、再生光の入射面を有している。透光層１０の第２情報記録層２０と接している側とは反対側の面が、再生光の入射面である。
【００９２】
第１情報記録層４０および第２情報記録層２０は、再生光によって情報を読み出すことのみ可能な再生専用（ＲＯＭ；Read Only Memory）の情報記録層である。光情報記録媒体１は、情報記録層が、第２情報記録層２０と、第１情報記録層４０との２層からなる多層構造であるが、本発明の光情報記録媒体が備える情報記録層は、２層に限定されず、３層以上でもよい。
【００９３】
中間層３０は、第２情報記録層２０と第１情報記録層４０とを互いに分離する層である。この中間層３０には、後述するようにプリピット群３１が形成されている。
【００９４】
基板５０は、ピックアップから最も遠い位置に配置される層であり、この基板５０には、後述するようにプリピット群５１が形成されている。
【００９５】
中間層３０および基板５０に形成されたプリピット群の凹凸によって、第１情報記録層４０および第２情報記録層２０の凹凸が形成されている。
【００９６】
（透光層１０）
透光層１０は、例えば、厚さ７５μｍの紫外線硬化樹脂（再生光波長λ：４０５ｎｍにおける屈折率１．５０）からなる。透光層１０の材料は、再生光の波長において透過率が高いものであればよい。すなわち、透光層１０は、例えばポリカーボネートフィルムと透明粘着剤とで形成されていてもよい。
【００９７】
また、透光層１０の表面は、再生に悪影響を及ぼさない防汚特性（指紋等が付着した場合においても第２情報記録層２０および第１情報記録４０からの再生信号等が劣化しない特性）や耐擦傷特性を有していてもよい。なお、上記防汚特性と耐擦傷特性は、透光層１０の表面にハードコートが設けられることによって満たされていてもよい。
【００９８】
さらに、透光層１０の厚さは、光情報記録媒体１の再生装置７０が有する光学系（再生光学系）に応じて変更されてもよい。具体的には、透光層１０は、例えば０．６ｍｍのポリカーボネート基板であってもよい。
【００９９】
（第２情報記録層２０）
第２情報記録層２０は、透光層１０と隣接して設けられている再生専用の情報記録層（ＲＯＭ層）である。
【０１００】
図２は、光情報記録媒体１の層構造を示す断面図である。図２に示すように、第２情報記録層２０は、下層の中間層３０に設けられたプリピット群３１と、プリピット群３１に積層された超解像膜２８とからなる。
【０１０１】
第２情報記録層２０には、下層の中間層３０に設けられたプリピット群３１の形状によって情報が記録されている。プリピット群３１は、凹凸形状であるプリピットが複数からなるものである。
【０１０２】
中間層３０に形成された凹凸形状であるプリピット群３１に超解像膜２８が積層されることで、プリピット群３１の凹凸によって、超解像膜２８に凹凸形状が形成されている。
【０１０３】
このように第２情報記録層２０は、プリピット群３１に、超解像膜２８が積層されることで、プリピット群３１により記録されている情報を、再生光学系により再生可能とする層である。
【０１０４】
（超解像膜２８）
超解像膜２８は、プリピット群３１により所定の変調方式で記録された情報を、再生光学系により再生可能とする膜である。すなわち、超解像膜２８は、プリピット群３１のうち、最も小さいマークおよびスペースの平均長さが、解像限界以下であっても、再生光学系で、再生（超解像再生）を可能とする超解像膜である。
【０１０５】
なお、再生装置７０の走査方向においてλ/（４Ｎ.Ａ.）より短いとは、再生光学系の光学解像限界（以下、単に解像限界と称する場合がある）以下であることを意味する。
【０１０６】
超解像膜２８は、例えば入射した再生光の温度分布により、擬似的に再生光のスポット径を縮小することや、スーパーＲＯＭ等の原理自体の解明は未だなされていない超解像再生技術で発現している現象により、プリピット群３１が示す情報を再生できる膜である。
【０１０７】
超解像膜２８は、例えば、スパッタ法等により、２層の薄膜が積層されることで構成されている。具体的には、この２層の薄膜は、再生光の入射側から、再生膜２６（例えば、厚さ約５５ｎｍの酸化亜鉛）、反射膜２７（例えば、厚さ約６ｎｍのＴｉ）が順に積層されている。
【０１０８】
なお、超解像膜２８の材料、厚さおよび層数は、これに限られるものではなく、超解像再生を可能にする層として機能し、後述する中間層３０に設けられたプリピット群３１を再生可能な超解像膜であればよい。
【０１０９】
また、再生膜とは、半透明膜や反射膜と組み合わせることにより超解像再生が可能になる膜を意味し、半透明膜とは、再生光が透過すると共に、反射膜の役割を果たす膜を意味する。
【０１１０】
（中間層３０）
中間層３０は、例えば、厚さ２５μｍの透明紫外線硬化樹脂（再生光波長における屈折率１．５０）からなる。中間層３０の材料は、これに限られたものではなく、再生光の波長において透過率が高い材料であればよい。また、中間層３０の厚さも、これに限られたものではなく、各情報記録層（ここでは、第１情報記録層４０および第２情報記録層２０）のそれぞれを分離でき、層間クロストークが問題にならない適度の厚さであればよい。
【０１１１】
なお、層間クロストークとは、再生中の情報記録層以外の情報記録層からのノイズを指す。また、中間層３０は、多層構造であってもよい。
【０１１２】
中間層３０の、超解像膜２８と接している側の面には、２Ｐ法（ｐｈｏｔｏ  ｐｏｌｙｍａｒｉｚａｔｉｏｎ法）により、プリピット群３１が設けられている。このプリピット群３１の凹凸形状により、第２情報記録層２０の情報が記録される。
【０１１３】
ここで、２Ｐ法とは、平板と原盤との間に紫外線硬化樹脂を充填し、紫外線を照射して紫外線硬化樹脂を硬化させた後、原盤を剥離することによって、平板上に原盤の凹凸（プリピット）を転写する手法を指す。
【０１１４】
（第１情報記録層４０）
第１情報記録層４０は、透光層１０から最も遠い位置に設けられた再生専用の情報記録層（ＲＯＭ層）である。
【０１１５】
第１情報記録層４０は、下層の基板５０に設けられたプリピット群５１と、プリピット群５１に積層された超解像膜４８とからなる。
【０１１６】
第１情報記録層４０には、下層の基板５０に設けられたプリピット群５１の形状によって情報が記録されている。基板５０に設けられたプリピット群５１は、凹凸形状であるプリピットが複数からなるものである。
【０１１７】
基板５０に形成された凹凸形状であるプリピット群５１に超解像膜４８が積層されることで、プリピット群５１の凹凸によって、超解像膜４８に凹凸形状が形成されている。
【０１１８】
基板５０に形成されたプリピット群５１には、後述するように、再生光学系の解像限界以下のプリピット群５１が形成されている。超解像膜４８は、プリピット群５１により所定の変調方式で記録された情報を、再生光学系により再生可能とする膜である。すなわち、超解像膜４８は、プリピット群５１のうち、最も小さいマークとスペースの平均長さが、解像限界以下で形成されていても、再生光学系で、再生を可能とする超解像膜である。
【０１１９】
このように第１情報記録層４０は、プリピット群５１に、超解像膜４８が積層されることで、プリピット群５１により記録されている情報を、再生光学系により再生可能とする層である。
【０１２０】
（超解像膜４８）
超解像膜４８は、例えば入射した再生光の温度分布により、擬似的に再生光のスポット径を縮小することや、スーパーＲＯＭ等の原理自体の解明は未だなされていない超解像再生技術で発現している現象により、プリピット群５１を再生できる膜である。
【０１２１】
超解像膜４８は、例えば、スパッタ法等により２層の薄膜が積層されることで、超解像膜が構成されている。具体的には、この２層の薄膜は、再生光の入射側から、再生膜４６（例えば、厚さ約６５ｎｍの酸化亜鉛）、反射膜４７（例えば、厚さ７ｎｍのＴａ）が順に積層されている。
【０１２２】
なお、超解像膜４８の材料、厚さおよび層数は、これに限られるものではなく、超解像再生を可能にする層として機能し、後述する基板５０に設けられたプリピット群５１によって示される情報を再生可能な超解像膜であればよい。
【０１２３】
（基板５０）
基板５０は、上記中間層３０と同様、記録された情報を示すプリピット群を有する円盤状基板である。基板５０は、例えば、直径１２０ｍｍ、厚さ１．１ｍｍのポリカーボネートからなる。
【０１２４】
なお、基板５０の材料および厚さは、これに限られるものではなく、表面（光入射面）にプリピット群５１が設けられており、かつ基板として使用できる程度の所定の強度があればよい。具体的には、基板５０は、例えばポリオレフィン樹脂、金属等からなっていてもよい。さらに、基板５０は、多層構造であってもよい。
【０１２５】
（第２情報記録層２０における各種領域の配置）
図１（ａ）および（ｂ）に示すように、第２情報記録層２０には、内周側より順に、ディスク情報領域（第２領域）２１、テストリード領域（第３領域）２２、リザーブ領域２３、データ領域（第１領域）２４およびブランク領域２５が設けられている。
【０１２６】
第２情報記録層２０の各領域には、所定の変調方式で、プリピット群３１により構成されるマークおよびスペースによって、形状として情報が記録されている。
【０１２７】
（ディスク情報領域２１）
ディスク情報領域２１には、再生装置７０が活用可能な情報が記録されている。具体的には、光情報記録媒体の種類を特定するための情報（媒体情報）や、光情報記録媒体の製造社が推奨する全情報記録層（第１および第２情報記録層）の再生光パワーを示す推奨再生光パワー情報等が記録されている。
【０１２８】
ディスク情報領域２１の中間層３０に形成されたプリピット群３１は、対応する再生装置７０の光学系における開口数がＮ．Ａ.、再生光の波長がλとすると、再生装置７０の走査方向においてλ/（４Ｎ.Ａ.）より長いプリピットのみからなるプリピット群である。
【０１２９】
それゆえ、媒体情報および推奨再生光パワー情報を、超解像技術を用いない光情報記録媒体を再生するための所定の再生光パワーで再生できるため、媒体情報および推奨再生光パワー情報の再生を容易にできる。
【０１３０】
（テストリード領域２２）
テストリード領域２２には、再生装置７０が後述するデータ領域２４に記録された情報を再生する際の基準となる再生レーザパワー（基準再生光パワー）を決定するための情報（基準情報と称する）が記録されている。
【０１３１】
上記基準情報とは、例えば、再生装置７０が認識済みの所定のデータパターンであり、データ領域２４と同じ変調方式で、同じ線密度（再生装置７０の走査方向における線密度）で記録されている。
【０１３２】
テストリード領域２２の中間層３０に形成されたプリピット群３１は、再生装置７０の走査方向において、λ/（４Ｎ.Ａ.）より短いプリピットを含むプリピット群である。
【０１３３】
それゆえ、プリピット群３１は、超解像再生を行うときの基準再生光パワーを得るために好適なデータパターンとなっている。
【０１３４】
（リザーブ領域２３）
リザーブ領域２３は、特に記録される情報や記録形式や記録密度が限定される領域ではなく、なくともよい領域である。
【０１３５】
なお、本実施形態のリザーブ領域２３に何らかの情報が記録される場合には、リザーブ領域２３の中間層３０に形成されたプリピット群３１は、再生装置７０の走査方向において、λ/（４Ｎ.Ａ.）より長いプリピットのみからなるプリピット群とする。しかし、リザーブ領域２３のプリピット群３１の長さは、これに限定されない。
【０１３６】
（データ領域２４）
データ領域２４は、ユーザが利用するコンテンツ（例えば、映像データ、音楽データなど）がプリピット群３１により記録される領域である。
【０１３７】
データ領域２４の中間層３０に形成されたプリピット群３１は、対応する再生装置７０の光学系における開口数がＮ．Ａ.、再生光の波長がλとすると、再生装置７０の走査方向においてλ/（４Ｎ.Ａ.）より短いプリピットを含むプリピット群である。
【０１３８】
それゆえ、データ領域２４に記録されたデータは、超解像再生技術を用いた再生方法により再生される。
【０１３９】
（ブランク領域２５）
ブランク領域２５には、再生装置７０が活用可能な情報や、コンテンツ等の情報は記録されておらず、情報や記録形式や記録密度が限定される領域ではない。
【０１４０】
また、本形態では、ブランク領域２５に何らかの情報が記録される場合には、ブランク領域２５の中間層３０に形成されたプリピット群３１は、対応する再生装置の光学系における開口数がＮ．Ａ.、再生光の波長がλとすると、再生装置７０の走査方向においてλ/（４Ｎ.Ａ.）より短いプリピットを含むプリピット群である。しかしながら、上記に限るものではなく、ブランク領域２５にプリピット群３１が形成されていなくともよい。
【０１４１】
なお、第２情報記録層２０におけるプリピット群３１のトラックパス方向は、外周から内周に向かう方向となっている。この詳細については、後述する。
【０１４２】
（第１情報記録層４０における各種領域の配置）
第１情報記録層４０には、内周側より順に、ディスク情報領域４１、テストリード領域４２、リザーブ領域４３、データ領域４４およびブランク領域４５が設けられている。第１情報記録層４０の各領域には、所定の変調方式で、プリピット群５１により構成されるマークおよびスペースによって、形状として情報が記録されている。
【０１４３】
（ディスク情報領域４１）
ディスク情報領域４１には、再生装置７０が活用可能な情報が記録されている。具体的には、光情報記録媒体の種類を特定するための情報（媒体情報）や、光情報記録媒体の製造社が推奨する全情報記録層（第１および第２情報記録層）の再生光パワーを示す推奨再生光パワー情報等が記録されている。
【０１４４】
ディスク情報領域４１の基板５０に形成されたプリピット群５１は、対応する再生装置７０の光学系における開口数がＮ．Ａ.、再生光の波長がλとすると、再生装置７０の走査方向においてλ/（４Ｎ.Ａ.）より長いプリピットのみからなるプリピット群である。
【０１４５】
それゆえ、媒体情報および推奨再生光パワー情報を、超解像技術を用いない光情報記録媒体を再生するための所定の再生光パワーで再生できるため、媒体情報および推奨再生光パワー情報の再生を容易にできる。
【０１４６】
（テストリード領域４２）
テストリード領域４２には、再生装置７０が後述するデータ領域４４を再生する際の基準となる再生レーザパワー（基準再生光パワー）を得るための情報（基準情報）が記録されている。
【０１４７】
上記基準情報とは、例えば、再生装置７０が認識済みの所定のデータパターンであり、データ領域４４と同じ変調方式で、同じ線密度（再生装置の走査方向における線密度）で記録されている。
【０１４８】
テストリード領域４２の基板５０に形成されたプリピット群５１は、再生装置７０の走査方向において、λ/（４Ｎ.Ａ.）より短いプリピットを含むプリピット群である。
【０１４９】
それゆえ、プリピット群５１は、超解像再生を行うときの基準再生光パワーを得るために好適なデータパターンとなっている。
【０１５０】
（リザーブ領域４３）
リザーブ領域４３は、特に記録される情報や記録形式や記録密度が限定される領域ではなく、なくともよい領域である。
【０１５１】
なお、本実施形態のリザーブ領域４３に何らかの情報が記録される場合には、リザーブ領域４３の基板５０に形成されたプリピット群５１を、再生装置の走査方向において、λ/（４Ｎ.Ａ.）より長いプリピットのみからなるプリピット群とする。しかし、リザーブ領域４３のプリピット群５１の長さは、これに限定されない。
【０１５２】
（データ領域４４）
データ領域４４は、ユーザが利用するコンテンツ（例えば、映像データ、音楽データなど）がプリピット群５１により記録される領域である。
【０１５３】
このデータ領域４４の中間層３０に形成されたプリピット群５１は、対応する再生装置７０の光学系における開口数がＮ．Ａ.、再生光の波長がλとすると、再生装置７０の走査方向においてλ/（４Ｎ.Ａ.）より短いプリピットを含むプリピット群である。
【０１５４】
それゆえ、データ領域４４に記録されたデータは、超解像再生技術を用いた再生方法により再生される。
【０１５５】
（ブランク領域４５）
ブランク領域４５には、再生装置が活用可能な情報や、コンテンツ等の情報記録されていなくともよく、情報や記録形式や記録密度が限定される領域ではない。
【０１５６】
また、本実施形態では、ブランク領域４５に何らかの情報が記録される場合には、ブランク領域４５の基板５０に形成されたプリピット群５１は、対応する再生装置７０の光学系における開口数がＮ．Ａ.、再生光の波長がλとすると、再生装置７０の走査方向においてλ/（４Ｎ.Ａ.）より短いプリピットを含むプリピット群である。しかしながら、上記に限るものではなく、ブランク領域４５にプリピット群５１が形成されていなくともよい。
【０１５７】
（第１情報記録層４０と第２情報記録層２０との関係）
第１情報記録層４０および第２情報記録層２０の各領域は、略同一の半径位置に設けられている。すなわち、ディスク情報領域２１とディスク情報領域４１と、テストリード領域２２とテストリード領域４２と、およびデータ領域２４とデータ領域４４とは、光情報記録媒体１における略同一の半径位置に設けられている。
【０１５８】
第２情報記録層２０が有するプリピット群３１のトラックパス方向は、外周から内周に向かう方向となっている。
【０１５９】
一方、第１情報記録層４０が有するプリピット群５１のトラックパス方向は、内周から外周に向かう方向となっている。
【０１６０】
よって、第１情報記録層４０と第２情報記録層２０とのトラックパス方向は、情報を連続再生しやすいオポジットパス形式となっている。特に、データ領域２４とデータ領域４４とが略同一の半径位置に設けられているため、データ領域４４からデータ領域２４へとつながる連続再生が容易になっている。
【０１６１】
このように、光情報記録媒体１は、複数の情報記録層である第１情報記録層４０および第２情報記録層２０が配されている。
【０１６２】
第１情報記録層４０は、最小マークと、最小スペースとの平均長さが、再生光学系の解像限界以下であるプリピット群５１を含むとともに、プリピット群５１に積層された超解像膜４８を備えている。
【０１６３】
同様に、第２情報記録層２０は、最小マークと、最小スペースとの平均長さが、再生光学系の解像限界以下であるプリピット群３１を含むとともに、プリピット群３１に積層された超解像膜２８を備えている。
【０１６４】
このようにして、光情報記録媒体１は、多層超解像光情報記録媒体として構成されている。
【０１６５】
（超解像膜２８・４８の変更例）
さらに、光情報記録媒体１は、２層以上の情報記録層が配されており、各情報記録層は、最小マークと、最小スペースとの平均長さが、再生光学系の解像限界以下であるプリピット群と、当該プリピット群により記録された情報を上記再生光学系により再生可能とする膜である超解像膜と、を含む層である多層超解像光情報記録媒体であればよい。
【０１６６】
すなわち、プリピット群３１・５１が、反射率の高い金属材料からなる場合は、その上に積層される超解像膜２８・４８のそれぞれは、２層ではなく、単層で構成してもよい。
【０１６７】
このような多層超解像光情報記録媒体の構成の一例として、図３を用いて説明する。
【０１６８】
図３は、複数の情報記録層のうち、第１情報記録層４０の超解像膜４８が単層からなる光情報記録媒体の構成を表す概略図である。
【０１６９】
光情報記録媒体１ａは、再生光の入射側から順に、透光層１０と、第２情報記録層２０と、中間層３０と、第１情報記録層４０と、基板５０ａとからなる。
【０１７０】
第１情報記録層４０は、プリピット群５１ａ（図３では不図示）と、プリピット群５１ａに積層された超解像膜４８と、からなる。
【０１７１】
超解像膜４８は、再生膜２６と同様に厚さ約５５ｎｍの酸化亜鉛からなる。
【０１７２】
基板５０ａは、例えば、Ｔａ等の反射率の高い金属材料からなる。そして、基板５０ａの超解像膜４８が配されている側の面には、プリピット群５１ａが形成されている。この基板５０ａに配されたプリピット群５１ａは、基板５０ａと同じ、Ｔａ等の金属材料からなる。これにより、プリピット群５１ａは、反射膜としても機能する。
【０１７３】
なお、プリピット群５１ａが構成するマークおよびスペースの長さは、プリピット群５１と同様である。
【０１７４】
このようにして、多層超解像光情報記録媒体である光情報記録媒体１ａを構成してもよい。
【０１７５】
光情報記録媒体１ａによると、第１情報記録層４０は、プリピット群５１ａと、超解像膜４８とを備え、プリピット群５１ａは、反射率の高い金属材料からなり、超解像膜４８は１層からなる。
【０１７６】
これにより、プリピット群５１ａは、反射率の高い金属材料からなるので、複数の層を積層して超解像膜４８を構成する必要はない。このため、光情報記録媒体１のプリピット群５１に超解像膜を積層する場合と比べて、製造コストを低減することができる。
【０１７７】
（プリピット群の詳細）
次に、図４、図５を参照し、中間層３０に設けられているプリピット群３１、および基板５０に設けられているプリピット群５１の構成について説明する。
【０１７８】
図４は、中間層３０に設けられているプリピット群３１の構成を表す斜視図である。図５は、基板５０に設けられているプリピット群５１の構成を表す斜視図である。
【０１７９】
プリピット群３１・５１は、複数のプリピットが配置されたものであり、それぞれ、第１情報記録層４０、第２情報記録層２０に形状として記録される情報に応じた凹凸からなるものである。プリピット群３１・５１のうち、プリピットの再生光に対する反射面がマーク３２・５２であり、再生光に対するプリピット間の反射面がスペース３３・５３である。プリピット群３１・５１は、所定の変調方式、例えば、１−７ＲＬＬ変調方式に従って、それぞれ、第１情報記録層４０、第２情報記録層２０に情報を、凹凸形状として記録している。
【０１８０】
プリピット群３１・５１により構成されるマーク３２・５２は、それぞれ異なる長さを有している。このように、マーク３２・５２を異なる長さで構成することにより、単一の長さでマークが構成された、いわゆるモノトーンパターン記録方式よりも、情報を記録する密度を向上させることができる。
【０１８１】
このように、異なる長さで構成されたマーク３２・５２は、例えば、１−７ＲＬＬ変調方式に従って、マークエッジ記録方式により情報が記録される。マークエッジ記録方式は、マーク３２・５２のエッジ部分（隣接するスペース３３・５３との境界部分）を読み取ることにより、情報（「１」（正）又は「０」（負））を読み取る方式である。
【０１８２】
このように、マークエッジ記録方式を用いることで、モノトーンパターン記録方式に用いられるマークポジション記録方式より、記録される情報の容量を向上させることができる。
【０１８３】
（データ領域２４・４４におけるプリピット群３１・５１）
データ領域２４・４４におけるプリピット群３１・５１は、これらプリピット群３１・５１により構成されるマーク３２・５２のうち、その長さが最小となる最小マークと、当該プリピット群３１・５１により構成されるスペース３３・５３とのうち、長さが最小となる最小スペースとの平均長さは、第１情報記録層４０および第２情報記録層２０に記録された情報を再生するための再生光学系の解像限界以下となるように形成されている。
【０１８４】
このため、データ領域２４・４４において、マーク３２・５２およびスペース３３・５３を配置する密度を向上させることができる。このため、第１情報記録層４０、第２情報記録層２０それぞれに記録させるユーザが使用するコンテンツの情報の容量を増大させることができる。
【０１８５】
ここで、上記最小マークと、上記最小スペースとの平均長さとは、所定の変調方式と、第１情報記録層４０または第２情報記録層２０に記録されている情報の密度とから算出することができる長さのことである。
【０１８６】
上記最小マークと、上記最小スペースとの平均長さとは、構造的には、例えば１−７ＲＬＬ変調方式の場合、最小マークである２Ｔマーク長と、最小スペースである２Ｔスペース長との平均長さである。
【０１８７】
具体的には、再生光学系がＢＤ（Ｂｌｕ−ｒａｙ  Ｄｉｓｃ）に準じている場合は、例えば、１−７ＲＬＬ変調方式での２Ｔマーク長と２Ｔスペース長との平均長さは、９３ｎｍである。
【０１８８】
そして、上述したように、超解像膜２８・４８のそれぞれは、プリピット群３１・５１が、再生光学系の解像限界以下で形成されていても、再生光学系で再生を可能とする超解像膜として構成されている。このため、データ領域２４・４４におけるプリピット群３１・５１による情報（すなわち、マーク３２・５２およびスペース３３・５３による情報）を、再生光学系で再生することができる。
【０１８９】
（光情報記録媒体再生装置７０）
次に、図６を用い、本実施の形態に係る光情報記録媒体再生装置７０（以下、単に再生装置７０と称する）について説明する。図６は、再生装置７０の構成を示す概略図である。
【０１９０】
再生装置７０は、光情報記録媒体１に対して、情報の再生を行う装置である。図６に示すように、再生装置７０は、ピックアップ（光ピックアップ）７１、主制御部（推奨再生光パワー情報取得部）７２、ピックアップ制御部７３、データ再生回路７４およびメモリ７５を備えている。
【０１９１】
ピックアップ７１は、光ヘッドを備え、当該光ヘッドから再生用のレーザビームを光情報記録媒体１に照射するとともに、その反射光を上記光ヘッドにおいて検出する。
【０１９２】
ピックアップ７１が検出した反射光は、データ再生回路７４にて再生信号に変換され、主制御部７２に入力される。これにより、再生装置７０は、光情報記録媒体１のトラック（複数のセクタからなる）に記録された情報を再生する。
【０１９３】
ピックアップ制御部７３は、主制御部７２の制御下でピックアップ７１を移動させる。図６に示すように、ピックアップ制御部７３は、回転する光情報記録媒体１の図示しないトラックへ、ピックアップ７１を移動させる。
【０１９４】
主制御部７２は、制御プログラムを実行することにより、再生装置７０が備えるピックアップ７１等の各部を制御するものである。主制御部７２は、メモリ７５に格納されている制御プログラムを、例えばＲＡＭ（Random Access Memory）等で構成される一次記憶部（不図示）に読み出して実行することにより、光情報記録媒体１に対するフォーカス制御、トラッキング制御などの各種処理を実行する。
【０１９５】
特に主制御部７２は、データ領域２４・４４に記録されたコンテンツを再生する前に、再生光の入射面に最も遠い第１情報記録層４０のディスク情報領域４１を再生することで全情報記録層の推奨再生光パワー情報を取得する。
【０１９６】
メモリ７５は、主制御部７２が実行する制御プログラム、および当該制御プログラムを実行するときに読み出す各種データを記録するものである。メモリ７５は、ハードディスク、フラッシュメモリなどの不揮発性の記憶装置によって構成される。
【０１９７】
主制御部７２が、レーザ駆動回路（不図示）を介して再生条件を設定し、ピックアップ７１から再生用のレーザビームを光情報記録媒体１の再生部位に照射することによって、光情報記録媒体１のアドレス情報の再生がなされるようになっている。なお、レーザ駆動回路は、ピックアップ７１から出射される再生用のレーザビームの出力を制御する回路である。
【０１９８】
（主制御部７２の詳細）
主制御部７２は、上述の機能を有する図示しない機能ブロックの他に、特定の機能を有する機能ブロックとして再生条件決定部（基準再生光パワー決定部）７６を備えている。また、主制御部７２は、さらに再生光パワー補正部（補正情報算出部）７７を備えていてもよい。
【０１９９】
再生条件決定部７６は、光情報記録媒体１のテストリード領域２２・４２にてテストリードを行った結果に基づいて、再生条件（特に、基準再生光パワー）を決定する。具体的には、再生条件決定部７６は、テストリードによって得られた再生特性（例えばｂＥＲ（ビットエラーレート）等）が所定の基準値を満たしているかどうか判定し、再生特性が所定の基準値を満たすまで、テストリードを繰り返すようピックアップ制御部７３を制御する。これにより、所定の基準値を満たす再生光パワー（基準再生光パワー）が決定される。
【０２００】
なお、上記再生条件には、再生光パワーおよび再生速度が含まれる。テストリードを行ったときの再生信号は、データ再生回路７４から再生条件決定部７６へ出力される。また、再生条件決定部７６が決定した基準再生光パワーを示す情報は、再生光パワー補正部７７へ出力される。
【０２０１】
再生光パワー補正部７７は、第１の情報記録層に記録された情報を再生するための基準再生光パワーの補正に用いる補正情報を算出する。具体的には、再生光パワー補正部７７は、例えば、第１情報記録層４０（第１の情報記録層）のデータ領域４４を、基準再生光パワーの再生光により再生することで得られた再生信号の信号特性を測定し、信号特性がほぼ一定になるように、再生条件決定部７６が決定した基準再生光パワーを補正するための補正値を算出する。
【０２０２】
主制御部７２は、再生条件決定部７６が決定した基準再生光パワーまたは再生光パワー補正部７７が補正した再生光パワーを用いて光情報記録媒体１の再生を行う。
【０２０３】
（主制御部の再生フロー）
また、主制御部７２では、図７に示すフローチャートのような再生フロー全体も制御している。図７は、再生装置７０における処理の流れの一例を示すフローチャートである。
【０２０４】
再生装置７０に光情報記録媒体１が装填され、図示しないスピンドル上に設置されると、主制御部７２がピックアップ制御部７３を通してピックアップ７１を制御し、光情報記録媒体１におけるディスク情報領域４１がある半径位置にピックアップ７１を移動させる（Ｓ１）。
【０２０５】
次に上記半径位置にて、ピックアップ７１は、光情報記録媒体１に非超解像媒体用再生光を照射し、第１情報記録層４０にフォーカスし、トラッキングを行う。そして、主制御部７２は、ピックアップ７１をディスク情報領域４１の所定の位置に移動させた後、ディスク情報領域４１を再生する（Ｓ２）。
【０２０６】
上記再生により得られた信号波形は、データ再生回路７４にて情報化される。
【０２０７】
上記情報化により取得された、光情報記録媒体の種類を特定するための媒体情報や、光情報記録媒体製造社が推奨する全情報記録層（第１情報記録層４０および第２情報記録層２０）の推奨再生光パワー情報はメモリ７５に記録される（Ｓ３）。
【０２０８】
このように、主制御部７２は、データ領域２４・４４に記録されたコンテンツを再生する前に、再生光の入射面に最も遠い第１情報記録層４０のディスク情報領域４１を再生することで全情報記録層の推奨再生光パワー情報を取得する推奨再生光パワー情報取得部として機能する。
【０２０９】
ディスク情報領域４１には、λ/（４Ｎ.Ａ.）より長いプリピットのみからなるプリピット群にて媒体情報と全情報記録層の推奨再生光パワー情報とが記録されている。それゆえ、これらの情報を読み出すときには、超解像再生を行わない通常媒体に適した再生光パワーが用いられる。
【０２１０】
なお、再生装置７０は、最初に読み取るべき位置（初期位置）を、光情報記録媒体１が装填されたときに特定してもよい。この特定方法としては、後述するフォーカスを行う前の段階において、再生光の反射率により、光情報記録媒体の種類を認識し、当該光情報記録媒体の種類に対応する初期位置を特定する手法が一例として挙げられる。
【０２１１】
また、再生装置７０で再生する光情報記録媒体１の種類が予め決まっており、初期位置も予め決められていてもよい。この場合には、光情報記録媒体１が装填されたときに、上述のステップＳ１の処理を行えばよい。
【０２１２】
また、光情報記録媒体１にＢＣＡ（バーストカッティングエリア）を設けておき、ＢＣＡに光情報記録媒体１の種類を記録しておいてもよい。この場合、再生装置７０は、ＢＣＡに記録された情報を読み取ることで光情報記録媒体１の種類を特定し、当該光情報記録媒体の種類に対応する初期位置を特定する。光情報記録媒体の種類と、初期位置との対応関係を示す情報は、再生装置７０のメモリ７５に予め格納されていればよい。
【０２１３】
メモリ７５には、予め媒体情報に対応する再生フローのプログラムが格納されており、再生装置７０に装填された光情報記録媒体の種類に応じて当該光情報記録媒体の再生フローが決まる。
【０２１４】
次に主制御部７２は、取得した媒体情報に応じて、図７に示す多層超解像用の再生フローに制御方法を切り替える（Ｓ４）。
【０２１５】
主制御部７２は、上記制御方法に従って、第１情報記録層４０にフォーカスＯＮの状態のままで、ピックアップ７１を、テストリード領域４２のある半径位置に移動させる（Ｓ５）。
【０２１６】
次に主制御部７２は、再生光パワーを、ステップＳ３で取得した第１情報記録層４０の推奨再生光パワーに変更し、トラッキングを行い、ピックアップ７１をテストリード領域４２の所定の位置に移動させる（Ｓ６）。
【０２１７】
その後、主制御部７２は、テストリード領域４２にてテストリード（再生）を行う（Ｓ７）。
【０２１８】
再生した信号波形は、データ再生回路７４にて情報化され、再生条件決定部７６にて、所定のデータパターンと比較され、得られた再生特性（例えばｂＥＲ等）が所定の基準値を満たしているか確認される（Ｓ８）。
【０２１９】
上記再生特性が所定の基準値を満たさない場合（Ｓ８にてＮＯ）、再生条件決定部７６は、例えば、再生光パワーを０．１ｍＷ増加させた後再度テストリードを行い、上記と同様に再生特性を確認する。
【０２２０】
上記のようにして、再生特性が基準値を満たすまで、テストリードが繰り返され、基準値を満たす再生光パワーが決定される（決定工程）。
【０２２１】
上記のようにして決定された再生光パワーが、第１情報記録層４０の基準再生光パワーとして主制御部７２のメモリ７５に記録される（Ｓ９）。
【０２２２】
続いて、主制御部７２は、トラッキングＯＦＦにした後、再度ピックアップ制御部７３を通してピックアップ７１を制御し、光情報記録媒体１におけるテストリード領域２２がある半径位置にピックアップ７１を移動させる（Ｓ１０）。
【０２２３】
そして、主制御部７２は、第２情報記録層２０にレイヤージャンプを行った上で、再生光パワーを、ステップＳ３で取得した第２情報記録層の推奨再生光パワーに変更し、トラッキングを行う。そして、主制御部７２は、ピックアップ７１を、テストリード領域２２の所定の位置に移動させた後、第１情報記録層４０と同様のテストリード（再生）を行う。再生条件決定部７６は、上述のように第２情報記録層２０の基準再生光パワーを決定し、決定した基準再生光パワーを示す情報をメモリ７５に記録する（Ｓ１１）。
【０２２４】
次いで、主制御部７２は、再生光パワーを、第１情報記録層４０の基準再生光パワーに変更した上で、トラッキングＯＦＦにし、再度ピックアップ制御部７３を通してピックアップ７１を制御し、第１情報記録層４０にレイヤージャンプさせ、データ領域４４のある半径位置にピックアップ７１を移動させる（Ｓ１２）。
【０２２５】
その後、主制御部７２は、トラッキングを行い、データ領域４４の所定の位置にピックアップ７１を移動させ、データ領域４４の再生を実施する（Ｓ１３）。
【０２２６】
データ領域４４をその再生完了位置まで再生すると、主制御部７２は、トラッキングＯＦＦにした後、再度ピックアップ制御部７３を通してピックアップ７１を制御し、第２情報記録層２０にレイヤージャンプを行う。その上で、主制御部７２は、再生光パワーを、ステップＳ１１で決定した第２情報記録層の基準再生光パワーに変更し、トラッキングを行い、データ領域２４の所定の位置にピックアップ７１を移動させる。そして、主制御部７２は、第２情報記録層２０のデータ領域２４の再生を行う（Ｓ１４）。
【０２２７】
このように、上記再生フローにおいて、第１情報記録層４０と第２情報記録層２０とのトラックパス方向がオポジットトラックパスであり、略同じ半径位置に第１情報記録層４０のデータ領域４４と第２情報記録層２０のデータ領域２４とが設けられている。そのため、第１情報記録層４０のデータ領域４４から第２情報記録層２０のデータ領域２４へと連続再生する場合に、ピックアップ７１が、半径方向に大きな移動を行う必要がなく、効率的にデータが再生できるという効果が生じる。
【０２２８】
（再生光パワー補正部７７）
また、上述のように再生装置７０には、第１情報記録層４０のデータ領域４４の再生時に、取得した信号の信号特性を測定し、その結果に応じて、以降の再生光パワーを補正（増加減）する再生光パワー補正部７７が設けられていてもよい。
【０２２９】
なぜなら、超解像光情報記録媒体では、再生光パワーが一定であっても、周囲の環境（温度、湿度）等により信号特性が変化する。すなわち、最適な再生光パワーは、周囲の環境に応じて変動する。それゆえ、光情報記録媒体１から得られる信号特性を一定に保つためには、信号特性を測定し、その信号特性が一定になるように基準再生光パワーを補正することが好ましい。このような再生光パワーの補正により、再生の信頼性を高めることができる。
【０２３０】
そこで、再生光パワー補正部７７は、基準再生光パワーの再生光を照射することで得られる再生信号を、データ再生回路７４を通して取得し、当該再生信号の信号特性が一定になるように基準再生光パワーを補正する（補正情報算出工程）。
【０２３１】
なお、測定する信号特性とは、例えば、ｉ−ＭＬＳＥ（高密度における一般的な信号特性指標）等の信号特性の状況を迅速に判定できる特性であればよい。
【０２３２】
（再生光パワー補正部７７の変更例）
また、再生光パワー補正部７７は、第２情報記録層２０におけるデータ領域２４の再生開始時に、第１情報記録層４０における基準再生光パワーおよび当該基準再生光パワーの補正量（補正により増減した再生光パワーの値）と、第２情報記録層２０における基準再生光パワーとより、第２情報記録層２０の再生光パワーの補正量を算出してもよい（補正工程）。
【０２３３】
すなわち、再生光パワー補正部７７は、算出した第１情報記録層４０に関する補正量（補正情報）を用いて、再生条件決定部７６が決定した基準再生光パワーを補正する補正部として機能する。
【０２３４】
このために、再生光パワー補正部７７は、第１情報記録層４０のデータ領域４４（または、第２情報記録層２０のデータ領域２４）の再生時に決定した再生パワーの補正量をメモリ７５に記録し、メモリ７５にアクセスすることで当該補正量を取得する。
【０２３５】
このように再生光パワー補正部７７を設けることにより、既に基準再生光パワーの補正が行われた第１の情報記録層における当該補正の結果を、第２の情報記録層における基準再生光パワーの補正に利用することができる。それゆえ、データ領域２４（または、データ領域４４）の再生を、適切な再生光パワーで効率的に再生できるという効果が生じる。
【０２３６】
なお、再生光パワー補正部７７における再生光パワーの決定の具体的手法としては、例えば、第１情報記録層４０における補正量に対して、第２情報記録層２０と第１情報記録層４０との基準再生光パワーの比率を積算することにより、第２情報記録層２０における補正量を想定し、想定した値を第２情報記録層２０の基準再生光パワーに加味する手法が挙げられる。
【０２３７】
また、その他の方法として、再生光パワー（レーザ出力）と環境変化（例えば、温度変化）との相関関係を示す数式が、情報記録層ごとに予めメモリ７５に記録されており、第１情報記録層４０における再生光パワーの補正量を、第１情報記録層４０のための上記数式に代入することにより、環境変化の変化量を算出し、算出した環境変化の変化量と第２情報記録層２０のための上記数式とから第２情報記録層２０の基準再生光パワーの補正量を算出する手法が挙げられる。算出した補正量を第２情報記録層２０の基準再生光パワーに加算することで、第２情報記録層２０の補正された基準再生光パワー（実際に使用する再生光パワー）を得ることができる。
【０２３８】
また、第１情報記録層４０に関する補正量を算出する機能ブロック（補正情報算出部）と、第２情報記録層２０に関する補正量を算出する機能ブロック（補正部）とを別々に設けてもよい。
【０２３９】
（光情報記録媒体１の効果）
以上のように、光情報記録媒体１は、多層超解像光情報記録媒体として構成されている。
【０２４０】
具体的には、光情報記録媒体１は、情報記録層として２層からなる第１情報記録層４０および第２情報記録層２０が配されており、データ領域において、最小マークと、最小スペースとの平均長さが、再生光学系の解像限界以下であるプリピット群３１・５１のそれぞれに、超解像膜２８・４８が積層された構成である。
【０２４１】
このように、光情報記録媒体１を多層超解像光情報記録媒体として構成することで、情報記録層に情報を記録させるための容量を増加させるために、さらに、３層、４層…と、情報記録層の積層数が増えることを抑制することができる。このように、光情報記録媒体１を多層超解像光情報記録媒体とすることで、情報を記憶するための容量を増加させることができると共に、情報記録層の積層数が増加することに伴う製造コストが増大することを抑制することができる。
【０２４２】
更に、上記のように光情報記録媒体１のディスク情報領域４１には、光情報記録媒体の種類を特定するための媒体情報や、光情報記録媒体製造社が推奨する全情報記録層（第１および第２情報記録層）の再生光パワーを示す推奨再生光パワー情報等が記録されている。
【０２４３】
また、媒体情報および推奨再生光パワー情報は、対応する再生装置７０の光学系における開口数がＮ．Ａ.、再生光の波長がλとすると、再生装置７０の走査方向においてλ/（４Ｎ.Ａ.）より長いプリピットのみからなるプリピット群によって、記録されている。
【０２４４】
そのため、再生装置７０は、超解像再生を行わない通常媒体に適した再生光パワーで、媒体情報および推奨再生光パワー情報を再生できるため、光情報記録媒体製造社が推奨する全情報記録層（第１および第２情報記録層）の推奨再生光パワーを容易に取得することができる。
【０２４５】
なお、超解像再生を行わない通常媒体に適した再生光パワーで、媒体情報が取得できるため、通常媒体のディスク情報を取得する場合に、通常媒体に適した再生光パワーより高い再生光パワーで再生する必要がなく、通常媒体と超解像媒体とを同じ再生装置で再生する場合に、通常媒体を破壊してしまう恐れがなくなる。
【０２４６】
また、上記のように光情報記録媒体１のテストリード領域４２には、再生装置７０がデータ領域４４を再生する際の基準となる基準再生光パワーを得るための基準情報が記録されている。
【０２４７】
また、上記基準情報は、対応する再生装置の光学系における開口数がＮ．Ａ.、再生光の波長がλとすると、再生装置７０の走査方向においてλ/（４Ｎ.Ａ.）より短いプリピットを含むプリピット群によって記録されている。
【０２４８】
上記基準情報は、再生装置７０が認識済みの所定のデータパターンであり、データ領域４４と同じ変調方式で、同じ線密度（再生装置の走査方向における線密度）で記録されている。
【０２４９】
したがって、再生装置７０において、上述のようにして取得した全情報記録層（第１および第２情報記録層）の推奨再生光パワーを基準として、再生光パワーを増加減させながら、テストリード領域に記録された所定のデータパターンを再生し、各再生光パワー毎のｂＥＲを得るテストリードを行えば、再生装置７０で第１情報記録層４０および第２情報記録層２０を再生する場合の基準再生光パワーを得ることができる。
【０２５０】
さらに、全情報記録層のテストリード領域２２・４２が略同一半径位置にあり、再生装置７０においては、第１情報記録層４０のディスク情報領域４１を読み取ることにより、既に第２情報記録層２０の推奨再生光パワーを取得しているため、第２情報記録層２０に層間移動（レイヤージャンプ）したときに、効率的に上記再生装置で第２情報記録層２０を再生する場合の基準再生光パワーを得ることができる。
【０２５１】
なお、テストリード領域２２・４２のトラックパス方向が異なるため、トラックパス方向が同一である場合に比較して、テストリード領域を狭くでき、結果としてデータ領域が拡大できるため、記録容量を増大させることができる。
【０２５２】
また、上述したように、上記テストリードを行った再生装置７０においては、再生装置７０に適した全情報記録層の基準再生光パワーが取得できている。
【０２５３】
したがって、対象となる情報記録層（情報記録層Ａとする）においてテストリードを行い、その情報記録層の基準再生光パワーを決定すれば、別の情報記録層Ｂに層間移動した後に、再度情報記録層Ａに層間移動しても、再度テストリードを行う必要がない。その上、光情報記録媒体１が、上述のように、第１情報記録層４０と第２情報記録層２０とのトラックパス方向が逆であり、各情報記録層の各領域が略同一半径位置に設けられているので、効率的な（連続性の高い）コンテンツの再生が可能になる。
【０２５４】
このように、光情報記録媒体１においては、対応する再生装置７０にて、効率的に当該再生装置７０に適した、全記録層の基準再生光パワーを得ることができ、効率的に各情報記録層のコンテンツが再生可能になる。
【０２５５】
上述の説明では、情報記録層を２層有する光情報記録媒体について記載したが、本発明の光情報記録媒体は、２層に限るものではなく、３層以上であってもよく、同様の効果が得られる。
【０２５６】
〔実施の形態２〕
本発明の他の実施形態について図８〜図１０に基づいて説明すれば、以下のとおりである。なお、実施の形態１と同様の部材に関しては、同じ符号を付し、その説明を省略する。図８は、本実施形態に係る光情報記録媒体２における断面構成を表す概略図である。なお、光情報記録媒体２は、光情報記録媒体１と同様に透光層１０および基板５０を備えているが、図８において、これらの部材は省略されている。
【０２５７】
本実施形態の光情報記録媒体２は、上記光情報記録媒体１とは異なり、例えば、図８に示すように、第２情報記録層のディスク情報領域２０１とリザーブ領域２０３とが入れ替わって配置されている。すなわち、光情報記録媒体２の外周側からデータ領域２０４、ディスク情報領域２０１、テストリード領域２０２の順番で配列されている。
【０２５８】
各領域は、光情報記録媒体１における同名の領域と同じ役割を果たすものであり、その配置が異なるだけである。
【０２５９】
第２情報記録層２００のトラックパス方向は、外周から内周へ向かう方向であり、第１情報記録層４００のトラックパス方向は、内周から外周へ向かう方向である。
【０２６０】
したがって、第２情報記録層２００のディスク情報領域２０１より再生を行うと、図８に示すように、ディスク情報領域２０１とテストリード領域２０２とが再生装置７０の走査順に配置されているので、効率的に第２情報記録層２００の基準再生光パワーを決定できる。
【０２６１】
ディスク情報領域２０１には、全情報記録層の推奨再生光パワー情報が記録されているため、再生装置７０は、ディスク情報領域２０１を再生することにより、第２情報記録層２００の推奨再生光パワー情報とともに第１情報記録層４００の推奨再生光パワー情報を取得できる。
【０２６２】
すなわち、本実施形態において主制御部７２は、各情報記録層のデータ領域２４・４４に記録されたコンテンツを再生する前に、再生光の入射面に最も近い第２情報記録層２００のディスク情報領域２０１を再生することで全情報記録層の推奨再生光パワー情報を取得する。
【０２６３】
その後、主制御部７２は、第１情報記録層４００へレイヤージャンプする。既にディスク情報領域２０１にて、第１情報記録層４００の推奨再生光パワー情報を取得しているので、再生装置７０は、当該推奨再生光パワー情報が示す再生光パワーで、テストリード領域４０２においてテストリードを行うことができる。つまり、ディスク情報領域４０１を再生する必要がない。
【０２６４】
再生条件決定部７６が、テストリード領域４０２におけるテストリードにより、第１情報記録層４００の基準再生光パワーを決定した後、主制御部７２は、当該基準再生光パワーにて第１情報記録層のデータ領域４０４のコンテンツを再生する。
【０２６５】
その後、再生装置７０は、第２情報記録層２００へレイヤージャンプし、データ領域２０４のコンテンツを再生する。
【０２６６】
光情報記録媒体１において第１情報記録層４０から再生を開始した場合は、図１に示すように、再生開始に当たるディスク情報領域４１の再生からデータ領域４４におけるコンテンツ再生まで２度のレイヤージャンプが必要になる。これに対して、光情報記録媒体２では、図８に示すように１度のレイヤージャンプで済むため、より効率的にコンテンツを再生できる。
【０２６７】
本実施形態においても、上述の再生光パワー補正部７７を設けてもよい。
【０２６８】
（比較例）
次に、図８に示すディスク構成および再生方法の利点について、ディスク情報領域２１とテストリード領域２２とが再生装置の走査順とは逆に配置されている光情報記録媒体１と対比することで説明する。
【０２６９】
図８に示したように光情報記録媒体２のディスク情報領域２０１から再生を開始すると同様に、光情報記録媒体１のディスク情報領域２１から再生を開始したとしても効率的な再生を行うことは困難である。
【０２７０】
図９は、比較例としての情報記録媒体再生方法を示す概略図である。図９に示すように、ディスク情報領域２１にて媒体情報および全情報記録層の推奨再生光パワー情報を取得し、テストリード領域２２でテストリードを行おうとすると、ディスク情報領域２１の終端からテストリード領域２２の始端までピックアップ７１を移動させる必要が生じる。そのため、トラックパス方向（走査方向）に沿った移動以外の移動が発生する。
【０２７１】
それゆえ、図８に示すディスク構成での再生方法は、図９に示す再生方法よりも効率的である。
【０２７２】
なお、光情報記録媒体１と異なる光情報記録媒体２の構成は、言い換えると透光層１０に最も近い位置に設けられた情報記録層のディスク情報領域とテストリード領域とが、再生装置の走査順に配置されているといえる。
【０２７３】
（変更例）
例えば、情報記録層が３層の場合は、例えば、図１０に示す光情報記録媒体３の構成を実現することができる。図１０は、本発明のさらに別の実施形態に係る３層光情報記録媒体における断面構成を表す概略図である。なお、光情報記録媒体３は、光情報記録媒体１と同様に透光層１０および基板５０を備えているが、図１０において、これらの部材は省略されている。
【０２７４】
光情報記録媒体３を、図１０に示す再生方法で再生した場合、情報記録層が２層の光情報記録媒体１・２と同様、余分なレイヤージャンプを行わないようにすることができる。
【０２７５】
図１０に示す光情報記録媒体３は、図８に示す光情報記録媒体２と同様の第１情報記録層４００および第２情報記録層２００に加えて、再生光入射側に第３情報記録層９００を備えている。
【０２７６】
第３情報記録層９００は、内周側から順に、ディスク情報領域９０１、テストリード領域９０２、リザーブ領域９０３およびデータ領域９０４を備えている。これらの領域は、第２情報記録層２００が備える同名の各領域と同じ役割を果たすものである。
【０２７７】
第３情報記録層９００のトラックパス方向は、内周から外周へ向かう方向であり、第２情報記録層２００のトラックパス方向は、外周から内周へ向かう方向であり、第１情報記録層４００のトラックパス方向は、内周から外周へ向かう方向である。すなわち、各情報記録層のトラックパスは、隣接する情報記録層のトラックパス方向に対してオポジットトラックパスである。
【０２７８】
図１０に示す再生方法では、第３情報記録層９００のディスク情報領域９０１から再生を開始し、テストリード領域９０２でテストリードを行った後、テストリード領域２０２へレイヤージャンプする。そして、テストリード領域２０２でテストリードを行った後、テストリード領域４０２へレイヤージャンプする。
【０２７９】
その後、データ領域４０４、データ領域２０４、データ領域９０４の順番で各データ領域に記録されているコンテンツを再生する。
【０２８０】
第３情報記録層９００のディスク情報領域９０１において、第１情報記録層４００および第２情報記録層２００の、媒体情報および推奨再生光パワー情報を取得している。そのため、第１情報記録層４００および第２情報記録層２００にレイヤージャンプしたときに、ディスク情報領域４０１およびディスク情報領域２０１を再生する必要がなくなる。したがって、トラックパス方向に沿った効率の良い再生を行うことができる。
【０２８１】
なお、４層以上の情報記録層を有する光情報記録媒体においても、同様に余分なピックアップの移動やレイヤージャンプを行わないようにすることができる。
【０２８２】
また、透光層１０に最も近い位置に設けられた情報記録層のリザーブ領域には、ディスク情報が記録されていてもよい。また、レイヤージャンプ数を低減するという効果が変わらないため、上記以外の情報記録層におけるディスク情報領域やリザーブ領域については、有無も含めて特に限定される領域ではない。
【０２８３】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２８４】
なお、本発明は、以下のようにも表現できる。
【０２８５】
すなわち、本発明の一実施形態に係る光情報記録媒体は、開口数Ｎ.Ａ.の対物レンズを介して、波長λの再生光を照射することによりコンテンツを再生する再生装置に適応し、再生光の入射側から順に、当該再生光の入射面を有する透光層と、２層以上の情報記録層と、基板とが配され、さらに、上記情報記録層をそれぞれに分離する中間層と、
が設けられている円盤状の光情報記録媒体であって、上記透光層より最も遠い位置に設けられた情報記録層のトラックパス方向が内周から外周に向かう方向となっており、且つ各情報記録層のトラックパスは、隣接する情報記録層のトラックパス方向に対してオポジットトラックパスであり、各情報記録層には、再生装置の走査方向において、λ/（４Ｎ.Ａ.）以下の長さのプリピットを含むプリピット群にてコンテンツが記録された第１領域と、再生装置の走査方向においてλ/（４Ｎ.Ａ.）より長いプリピットのみからなるプリピット群にて媒体の種類を特定するための媒体情報と全情報記録層の推奨再生光パワー情報が記録された第２領域と、上記コンテンツを再生するための基準となる基準再生光パワーを決定するための第３領域が設けられており、上記各情報記録層の第３領域は、各情報記録層における第１領域より内周側であって、略同一半径位置に割り当てられている。
【０２８６】
また、上記各情報記録層のうち、透光層より最も近い位置に設けられた情報記録層の第２領域と第３領域が、再生装置の走査順に配置されていることが好ましい。
【０２８７】
本発明の一実施形態に係る基準再生光パワー情報取得方法は、上記光情報記録媒体における各情報記録層の基準再生光パワーを決定する基準再生光パワー決定方法であって、上記光情報記録媒体に記録されたコンテンツを再生する前に、再生光入射面から最も遠い情報記録層の第２領域を再生し、得られた全情報記録層の推奨再生光パワー情報と少なくともいずれかの層の第３領域を用いて、テストリードを行い、全情報記録層の基準再生光パワー情報を取得する工程を含んでいる。
【０２８８】
また、上記基準再生光パワー情報取得方法において、上記光情報記録媒体に記録されたコンテンツを再生する前に、再生光入射面に最も近い情報記録層の第２領域を再生し、得られた全情報記録層の推奨再生光パワー情報と少なくともいずれかの層の第３領域を用いて、テストリードを行い、全情報記録層の基準再生光パワー情報を取得することが好ましい。
【０２８９】
本発明の一実施形態に係る光情報記録媒体再生装置は、上記光情報記録媒体を再生する光情報記録媒体再生装置であって、上記光情報記録媒体に記録されたコンテンツを再生する前に、再生光入射面から最も遠い情報記録層の第２領域を再生し、得られた全情報記録層の推奨再生光パワー情報と少なくともいずれかの層の第３領域を用いて、テストリードを行い、全情報記録層の基準再生光パワー情報を取得する手段を有する。
【０２９０】
本発明の一実施形態に係る光情報記録媒体再生装置は、上記光情報記録媒体を再生する光情報記録媒体再生装置であって、上記光情報記録媒体に記録されたコンテンツを再生する前に、再生光入射面に最も近い情報記録層の第２領域を再生し、得られた全情報記録層の推奨再生光パワー情報と少なくともいずれかの層の第３領域を用いて、テストリードを行い、全情報記録層の基準再生光パワー情報を取得する手段を有する。
【０２９１】
本発明の一実施形態に係る再生方法は、上記光情報記録媒体を用いる再生方法であって、コンテンツの再生時に、所定の情報記録層に記録されたコンテンツを再生している状態から、異なる情報記録層記録されたコンテンツを再生に移行する際に、上記所定の情報記録層に記録されているコンテンツ再生時に得た再生光パワーを最適化するための再生光パワー調整情報と上記基準再生光パワー情報を用いて決定した再生光パワーを用いて、上記異なる情報記録層に記録されたコンテンツを再生する工程を含んでいる。
【０２９２】
本発明の一実施形態に係る光情報記録媒体再生装置は、上記光情報記録媒体を再生する再生装置であってコンテンツの再生時に、所定の情報記録層に記録されたコンテンツを再生している状態から、異なる情報記録層記録されたコンテンツを再生に移行する際に、上記所定の情報記録層に記録されているコンテンツ再生時に得た再生光パワーを最適化するための再生光パワー調整情報と上記基準再生光パワー情報を用いて決定した再生光パワーを用いて、上記異なる情報記録層に記録されたコンテンツを再生する手段を有する。
【産業上の利用可能性】
【０２９３】
本発明は、特に、複数の情報記録層を備え、情報の記録密度が高い光情報記録媒体に適用することができる。
【符号の説明】
【０２９４】
１  光情報記録媒体
１ａ光情報記録媒体
２  光情報記録媒体
３  光情報記録媒体
１０  透光層
２０  第２情報記録層
２１  ディスク情報領域（第２領域）
２２  テストリード領域（第３領域）
２４  データ領域（第１領域）
３０  中間層
３１  プリピット群
４０  第１情報記録層
４１  ディスク情報領域（第２領域）
４２  テストリード領域（第３領域）
４４  データ領域（第１領域）
５０  基板
５０ａ  基板
５１  プリピット群
５１ａ  プリピット群
７０  光情報記録媒体再生装置
７２  主制御部（推奨再生光パワー情報取得部）
７６  再生条件決定部（基準再生光パワー決定部、決定部）
７７  再生光パワー補正部（補正情報算出部、補正部）
２００  第２情報記録層
２０１  ディスク情報領域（第２領域）
２０２  テストリード領域（第３領域）
２０４  データ領域（第１領域）
４００  第１情報記録層
４０１  ディスク情報領域（第２領域）
４０２  テストリード領域（第３領域）
４０４  データ領域（第１領域）
【図１】
2013122805.tif 000003
【図２】
2013122805.tif 000004
【図３】
2013122805.tif 000005
【図４】
2013122805.tif 000006
【図５】
2013122805.tif 000007
【図６】
2013122805.tif 000008
【図７】
2013122805.tif 000009
【図８】
2013122805.tif 000010
【図９】
2013122805.tif 000011
【図１０】
2013122805.tif 000012